(57)【要約】【課題】複雑な構造を採用すること無く、及びコストを上げることなく、初期雨水を有効に除去して清水のみを取水可能な雨水取水タンクを提供すること。【解決手段】上方側の雨水導入室（Ａ）と下方側の雨水貯蔵室（Ｂ）に分割し、雨水導入室（Ａ）は、取水口（３０１）と、底部（４０３）に形成した、雨水貯蔵室（Ｂ）に連通した比較的小径の初期雨水排出口（４０１）及び比較的大径の清水供給口（４０２）を備え、底部（４０３）を初期雨水排出口（４０１）側に向け下側に傾斜させ、貯蔵室（Ｂ）は、清水供給口（４０２）に連通するとともに下端を雨水貯蔵室（Ｂ）の底部近傍で開口させた清水導入パイプ（５）と、上部近傍に設けた排出口（２０１）と、一端が初期雨水排出口（４０１）に連通し他端が排出口（２０１）に連通された、排出口（４０１）よりも小径の初期雨水排出チューブ（７）と、下方に設けた貯水供給口（２０２）を備えた。【選択図】              図１
2005016039.tif 000002
【特許請求の範囲】
【請求項１】
竪樋に連結される雨水取水タンクであって、
上方に位置する雨水導入室（Ａ）と下方に位置する雨水貯蔵室（Ｂ）の上下二つの空間に分割するとともに、
前記雨水導入室（Ａ）は、
雨水を取り込むための取水口（３０１）と、底部（４０３）に形成した、前記雨水貯蔵室（Ｂ）に連通した比較的小径の初期雨水排出口（４０１）と、底部（４０３）に形成した、前記雨水貯蔵室（Ｂ）に連通した比較的大径の清水供給口（４０２）とを備えるとともに、前記底部（４０３）を、前記初期雨水排出口（４０１）側に向けて所定角度だけ下側に傾斜させ、
前記雨水貯蔵室（Ｂ）は、前記清水供給口（４０２）に連通するとともに、下端部を雨水貯蔵室（Ｂ）の底部近傍で開口させた清水導入パイプ（５）と、上部近傍に設けた排出口（２０１）と、一端が前記初期雨水排出口（４０１）に連通されるとともに、他端が前記排出口（２０１）に直接あるいは間接に連通された、少なくとも排出口（４０１）との連通部分の径が前記排出口（４０１）よりも小径の初期雨水排出チューブ（７）と、下方に設けた貯水供給口（２０２）と、を備えたことを特徴とする雨水取水タンク。
【請求項２】
前記雨水導入室（Ａ）における前記取水口（３０１）近傍にフィルター（６）を備えたことを特徴とする請求項１に記載の雨水取水タンク。
【請求項３】
タンク上部を着脱自在の蓋部（３）により構成したことを特徴とする請求項１又は請求項２に記載の雨水取水タンク。
【発明の詳細な説明】
【０００１】
【発明の属する技術分野】
本発明は、竪樋に連結することにより雨水を取水可能とする雨水取水タンクに係り、より詳しくは、雨水の取水に際して有効に初期雨水を除去可能とした雨水取水タンクに関する。
【０００２】
【従来の技術】
従来から、家屋等の竪樋に連結されることにより、雨水を取水して貯蔵し、これにより雨水を有効利用可能とした雨水取水用のタンクが提供されている。
【０００３】
しかし、一般的に提供されている雨水取水タンクでは、竪樋を介して流れてくる雨水をすべてタンクに導入する構造であり初期雨水をも取り入れてしまう一方、雨の降り始めは屋根、樋内に堆積している汚れを含んだ雨水が樋を介して流れてくるとともに、初期雨水は酸性雨である場合が考えられるために、初期雨水をも取り入れてしまう雨水取水タンクでは、取水した雨水の有効利用に支障を来してしまうという問題点が指摘されている。
【０００４】
そのために、近年になり、初期雨水を除去しつつ雨水を取水可能とした雨水取水タンクが提供されている。
【０００５】
即ち、これらの取水タンクでは、（１）カウンターウイエトを用いて初期雨水を排出する方法（特公平４−１０５３８号参照）、（２）降雨を感知する感雨手段と計数手段を用いて、降雨を検知した時から所定時間経過後に雨水を集水可能とした方法（特許第２８４４１３４号参照）、（３）竪樋に少量流れる水と大量に流れる水とを分離する分離装置を用いて、塵等を含んでいる少量の初期雨水を除去可能とした方法（特開平８−３１９６４１号参照）、（４）止水弁を用いて初期雨水を除去する方法（特開平９−４１４２９号参照）、（５）雨水取水装置における筐体内周壁と雨水受け器との間に間隙を設け、少量の初期雨水は内周壁を伝わらせることによって取水しないようにした方法（特開平１１−１３１５３７号参照）、（６）雨水を導入する導水用パイプを分岐するとともに分岐したパイプを内袋に接続することによって初期雨水を除去可能とした方法（特開平１１−３４３６４４号参照）を採用している。
【０００６】
【特許文献１】特公平４−１０５３８号公報
【特許文献２】特許第２８４４１３４号公報
【特許文献３】特開平８−３１９６４１号公報
【特許文献４】特開平９−４１４２９号公報
【特許文献５】特開平１１−１３１５３７号公報
【特許文献６】特開平１１−３４３６４４号公報
【０００７】
【発明が解決しようとする課題】
しかしながら、これらの方法では、構造が複雑であったり、製造コストが高くなったり、あるいは有効性に疑問があった。
【０００８】
即ち、カウンターウイエトを用いた方法（特公平４―１０５３８号）や止水弁を用いて初期雨水を除去する方法（特開平９−４１４２９号）では構造が複雑にならざるを得ず、降雨を感知する感雨手段と計数手段を用いる方法（特許第２８４４１３４号）では構造が複雑になるとともにコストが上がってしまい、竪樋に少量流れる水と大量に流れる水とを分離する分離装置を用いた方法（特開平８−３１９６４１号参照）や雨水取水装置における筐体内周壁と雨水受け器との間に間隙を設けて少量の初期雨水は内周壁を伝わらせることによって取水しないようにした方法（特開平１１−１３１５３７号参照）では、初期雨水とそうでない清水とを有効に分離可能か否かについて疑問があり、また、雨水を導入する導水用パイプを分岐するとともに分岐したパイプを内袋に接続する方法（特開平１１−３４３６４４号参照）でも構造が複雑になってしまう。
【０００９】
そこで、本発明は、複雑な構造を採用すること無く、及びコストを上げることなく、初期雨水を有効に除去して清水のみを取水可能な雨水取水タンクを提供することを課題としている。
【００１０】
【課題を解決するための手段】
本発明の雨水取水タンクは、竪樋に連結される雨水取水タンクであって、
上方に位置する雨水導入室と下方に位置する雨水貯蔵室の上下二つの空間に分割するとともに、
前記雨水導入室は、雨水を取り込むための取水口と、底部に形成した、前記雨水貯蔵室に連通した比較的小径の初期雨水排出口と、底部に形成した、前記雨水貯蔵室に連通した比較的大径の清水供給口とを備えるとともに、前記底部を、前記初期雨水排出口側に向けて所定角度だけ下側に傾斜させ、
前記雨水貯蔵室は、前記清水供給口に連通するとともに、下端部を雨水貯蔵室の底部近傍で開口させた清水導入パイプと、上部近傍に設けた排出口と、一端が前記初期雨水排出口に連通されるとともに、他端が前記排出口に直接あるいは間接に連通された、少なくとも排出口との連通部分の径が前記排出口よりも小径の初期雨水排出チューブと、下方に設けた貯水供給口と、を備えたことを特徴としている。
【００１１】
本発明の雨水取水タンクでは、タンク内を、上方に位置する雨水導入室と下方に位置する雨水貯蔵室に分割しており、雨水導入室の底部には、初期雨水を排出するための比較的小径の初期雨水排出口と清水を雨水貯蔵室に供給するための比較的大径の清水供給口を備えるとともに、雨水導入室の底部を、初期雨水排出口側が下側になるようにして、所定角度だけ傾斜させている。
【００１２】
そのため、比較的少量の初期雨水は、底部の傾斜によって初期雨水排出口側に流れつつ初期雨水排出口から排出されていき、その後雨水の量が増えてきて導入した雨水の量が初期雨水排出口の排出能力を超えると、雨水導入室内の雨水の量が増えていくとともに、その雨水の水位が前記清水供給口に至った後には、清水供給口から雨水貯蔵室内に供給されていく。
【００１３】
また、雨水貯蔵室内には、前記清水供給口に連通するとともに、下端部を雨水貯蔵室の底部近傍で開口させた導入パイプと、上部近傍に設けた排出口と、一端が前記初期雨水排出口に連通されるとともに、他端が前記排出口に直接あるいは間接に連通された、少なくとも排出口との連通部分の径が前記排出口よりも小径の初期雨水排出チューブとが設けられており、初期雨水排出口から排出された初期雨水は排出口を介してタンクから外部に排出されるとともに、清水供給口から供給された清水は導入パイプを介して雨水貯蔵室の底部から貯水されていく。
【００１４】
更に、前記初期雨水排出チューブは少なくとも排出口との連通部分の径が排出口の径よりも小径とされており、これにより初期雨水排出チューブと排出口との連通部分近傍には空間が形成されるため、雨水貯蔵室内に取水された雨水の水位が排出口に至った後には、この空間を介して、供給された時期が古い清水から順番に排出口から外部に排出されていく。
【００１５】
このように、本発明では、比較小径な初期雨水排出口と比較的大径な清水供給口を有する雨水導入室の底部を傾斜させることによって初期雨水を除去可能としているために、特に複雑な構造を採用することなく、及びコストを上げることなく、有効に初期雨水を除去しつつ清水を取水可能であるとともに、取水した雨水がタンクの貯水能力を超えた後には古い清水から順に排出することができ、常に新鮮な雨水のみを貯水することができる。
【００１６】
【実施例】
本発明の雨水取水タンクの実施例について図面を参照して説明すると、図１は本実施例の雨水取水タンクの全体を示した外観図であり、図２は図１におけるＡ−Ａ線断面の構造を示した断面図であり、図において１が本実施例の雨水取水タンクである。
【００１７】
そして、この雨水取水タンク１は、清水を貯蔵するためのタンク本体と、このタンク本体の上方に着脱自在に支持された中蓋と、この中蓋の上方を閉塞する着脱自在の蓋体とを備えており、中蓋によって、上方に位置する雨水導入室と下方に位置する雨水貯蔵室の上下二つの空間に分割され、まず、蓋体に設けた取水口を介して、雨水導入室内に雨水を導入し、その後に、この雨水導入室内に導入した雨水を、初期雨水を除去しつつ雨水貯蔵室に供給可能の構造としている。
【００１８】
即ち、図において２がタンク本体であり、本実施例においてこのタンク本体２は、上部を開口とした箱型形状としており、その内部が雨水貯蔵室Ｂとされている。そして、タンク本体２は、低部にいくにしたがって側壁２０３を内方に向けて傾斜させ、これによって底部にいくにしたがってその容量が少なくなるような構造にしており、更に、側壁に複数箇所に段差２０４を形成して強度をつけている。但し、本発明の雨水取水タンクの形状は特にこの形状に限定されるものではなく、雨水を貯蔵可能であればいずれの形状としてもよい。
【００１９】
次に、タンク本体２の底部近傍には、貯蔵した雨水を供給するための貯水供給口２０２が形成されており、使用に際しては、この貯水供給口２０２に蛇口等を連結し、これにより、タンク本体２内の雨水を所望するときに使用可能としている。
【００２０】
また、タンク本体２の内部には円筒形状の清水導入パイプ５が備えられ、この清水導入パイプ５の上部はタンク本体２の上部近傍で開口とされ、その下端部分は、タンク本体２における底部近傍で開口としている。そしてこれにより、清水導入パイプ５を介して清水をタンク本体２内に導入可能であるとともに、その導入に際しては、タンク本体２の低部側から清水を導入し、より新しい清水をタンク本体２内の底部に導入可能としている。
【００２１】
更に、タンク本体２の上方には排出口２０１が設けられているとともに、この排出口２０１には、一端がタンク本体２の上部で開口とされた初期雨水排出チューブ７の他端が挿入されており、この初期雨水排出チューブ７としては、少なくとも、排出口２０１に挿入する部分の径が前記排出口２０１の径よりも小径のものを用いており、これにより、初期雨水排出チューブ７の周囲近傍には空間が形成されている。
【００２２】
次に、タンク本体２の上部には、タンク本体２の上部開口を閉塞可能な配置で中蓋４が係止されており、導入した雨水は、この中蓋４内に一時的に貯蔵可能としている。
【００２３】
ここで、図３乃至図５は中蓋４を示す図であり、図３は中蓋４の構造を示す断面図、図４は中蓋４の外観を示す斜視図、図５は中蓋の外観を図４と反対方向から見た状態を示す斜視図である。
【００２４】
そして、本実施例における中蓋４は、底部４０３と、この底部４０３の周縁部において上下方向に延出された縁部４０４とを備えており、図２に示されるように、底部４０３が前記タンク本体２の上部に載置されるとともに、縁部４０４が前記タンク本体２の上部における外側に配置されるようにして、タンク本体２の上部に係止され、底部４０３と縁部４０４とにより囲まれた空間が雨水導入室Ａとされる。
【００２５】
また、中蓋４の底部４０３において、一方の端部近傍には比較的小径の初期雨水排出口４０１が形成されており、この初期雨水排出口４０１は前記初期雨水排出チューブ７の上端部に連通可能に連結されている。
【００２６】
更に、中蓋４の底部４０３における他方の端部近傍には、比較的大径の清水供給口４０２が形成されており、この清水供給口４０２は前記清水導入パイプ５の上部に連通可能に連結されている。
【００２７】
そして、中蓋４の底部４０３は、清水供給口４０２側から初期雨水排出口４０１側に向けて、所定角度だけ下側に傾斜させており、これにより、雨水導入室Ａ内に導入した雨水は、まず、少量の初期雨水の段階では、底部４０３の傾斜によって初期雨水排出口４０１側に貯蔵されつつ、初期雨水排出口４０１及び初期雨水排出チューブ７を介してタンク本体２の排出口２０１より排出されていく。一方、初期雨水の段階を経て、導入した雨水の量が大量となり初期雨水排出口４０１の排出能力を超えた場合には、雨水導入室Ａ内の水位が上がっていき、水位が清水供給口４０２に到った後は清水供給口４０２及び清水導入パイプ５を介して、きれいな雨水がタンク本体２内に貯蔵されていく。なお、底部４０３の傾斜角度は特に限定されないが、本実施例においては、約５度の角度で底部４０３を傾斜させた。また、本実施例においては、図４及び図５に示されるように、雨水導入室Ａ内に導入した雨水を初期雨水排出口４０１に確実に集めることを可能にするため、底部４０３を初期雨水排出口４０１側に向けて単に傾斜させるのみでなく、底部４０３の両端部分を上側に向けて傾斜させるとともに、底部４０３における上側に傾斜させる部分の面積を、初期雨水排出口４０１に行くにしたがって広くし、これによって、底部４０３は、初期雨水排出口４０１を最底部にした略漏斗形状としている。
【００２８】
次に、図１において３は蓋体であり、本実施例においては、前記中蓋４の上部に蓋体３を着脱自在に係止し、これにより取水タンク１を構成している。そして、本実施例において蓋体３には、前記雨水導入室Ａ内に雨水を導入するための取水口３０１を形成しており、これにより、取水口３０１を介して取水タンク１における雨水導入室Ａ内に雨水を導入可能としている。
【００２９】
なお、図２において１２はスペーサーであり、即ち、本実施例においては、中蓋４における清水供給口４０２側の端部裏側にスペーサー１２を備えており、これにより底部４０３の傾きを確保している。即ち、本実施例における中蓋４では底部４０３とこの底部の周縁部に上下方向に延出させた縁部４０４とにより構成されるとともに底部４０３を傾斜させているため、縁部４０４の下端から底部４０３までの距離は均一ではない。そのために、何らの手段も講じずに中蓋４をタンク本体２に係止した場合には、中蓋４が斜めの状態で係止されるとともに底部４０３の傾斜を確保することもできなくなってしまう。そのため、本実施例においては、初期雨水排出口４０１側における縁部４０４の下端から底部４０３までの距離と清水供給口４０２側における縁部４０４の下端から底部４０３までの距離を同一にするために、中蓋４における清水供給口４０２側の端部裏側にスペーサー１２を備えている。
【００３０】
また、図２において６はフィルターであり、本実施例では、雨水導入室Ａ内における、前記蓋体３に形成した取水口３０１に対応した箇所にフィルター６を備えており、これにより比較的大型のゴミ等を除去可能としている。
【００３１】
ここで、図６は前記フィルター６を示す斜視図であり、本実施例において前記フィルター６は、多数の小孔６０２を備えたステンレス製の枠材６０１を略四角形状に枠組みして構成した枠材としており、これにより、枠材内に一旦雨水を取り入れた後に、取り入れた雨水を小孔６０２から排出し、これにより、枯葉等の比較的大型のゴミを除去可能としている。
【００３２】
次に、このように構成される本実施例の雨水取水タンクの作用について説明すると、図７において、竪樋８の一部を切り欠いた後に、連結パイプ９を用いて、上方に位置する竪樋８を蓋体３の取水口３０１に連結する。そして、下方に位置する竪樋８はタンク本体２の排出口２０１に連結するとともに、少なくとも連結パイプ９内に初期雨水排出チューブ７の一端を挿装し、更に、貯蔵した雨水を所望するときに使用可能なように、貯水供給口２０２に蛇口等１０を連結する。
【００３３】
そして、この状態で竪樋８を介して雨水が流れてくると、この雨水は、まず雨水導入室Ａ内に一時貯蔵される。そして、初期雨水の段階では、比較的少量であるために、中蓋３における底部４０３の傾斜に沿って初期雨水排出口４０１側に流れていきつつ、初期雨水排出口４０１及び初期雨水排出チューブ７を介して取水タンク１より排出される。
【００３４】
一方、初期雨水の段階を過ぎて雨水量が大量になると、初期雨水排出口４０１は比較的小径であるために、雨水導入室Ａ内に導入された雨水の量が初期雨水排出口４０１の排出能力を超え、それにより雨水導入室Ａ内に導入された雨水の水位が次第に上がっていく。
【００３５】
そしてその後、雨水導入室Ａ内に導入された雨水の水位が清水供給口４０２に到った以後は、初期雨水排出口４０１からの排出が継続されつつ、清水供給口４０２の高さを超えた水位部分の雨水が、清水供給口４０２及びこれに連結された清水供給パイプ５を介して、雨水貯蔵室Ｂ内の底部から貯蔵されていく。
【００３６】
また、降雨量が多く、そのために雨水貯蔵室Ｂ内の雨水の水位が排出口２０１に到った後以降は、排出口２０１を超えた部分の雨水は、排出口２０１における初期雨水排出チューブ７の周囲近傍に形成された空間を介して竪樋８側に排出されていく。そしてこのとき、本実施例においては、清水供給パイプ５の下端を底部近傍で開口としており、取り入れた雨水は雨水貯蔵室Ｂの底部から貯蔵されていくため、取り入れた時期の古い雨水から順に、排出口２０１を介して排出されていく。
【００３７】
このように、本発明では、比較的小径な初期雨水排出口と比較的大径な清水供給口を有する雨水導入室の底部を傾斜させることによって初期雨水を除去可能としているために、特に複雑な構造を採用することなく、及びコストを上げることなく有効に初期雨水を除去しつつ清水を取水可能であるとともに、取水した雨水がタンクの貯水能力を超えた後には古い清水から順に排出することができ、常に新鮮な雨水のみを貯水することができる。
【００３８】
また、本実施例においては、中蓋４及び蓋体３を着脱自在としているために、内部の清掃の際もこれを容易に行なうことが可能である。
【００３９】
【発明の効果】
本発明の雨水取水タンクは以上説明した形態で実施され、以下に記載するような効果を奏する。
【００４０】
本発明の雨水取水タンクでは、その内部を上方に位置する雨水導入室と下方に位置する雨水貯蔵室に分割しており、雨水導入室の底部には、初期雨水を排出するための比較的小径の初期雨水排出口と清水を雨水貯蔵室に供給するための比較的大径の清水供給口を備えるとともに、雨水導入室の底部は、初期雨水排出口側が下側になるようにして、所定角度だけ傾斜させているため、比較的少量の初期雨水は、底部の傾斜によって初期雨水排出口側に流れつつ初期雨水排出口から排出されていき、その後雨水の量が増えてきて導入した雨水の量が初期雨水排出口の排出能力を超えると、雨水導入室内の雨水の量が増えていくとともに、その雨水の水位が前記清水供給口に至った後には、清水供給口から雨水貯蔵室内に供給されていく。
【００４１】
また、雨水貯蔵室内には、前記清水供給口に連通するとともに下端部を雨水貯蔵室の底部近傍で開口させた導入パイプと、上部近傍に設けた排出口と、一端が前記初期雨水排出口に連通されるとともに他端が前記排出口に直接あるいは間接に連通された、排出口との連通部分の径を前記排出口よりも小径とした初期雨水排出チューブとが設けられており、初期雨水排出口から排出された初期雨水は排出口を介してタンクから外部に排出されるとともに、清水供給口から供給された清水は導入パイプを介して雨水貯蔵室の底部から貯水されていき、更に、雨水貯蔵室内に取水された雨水の水位が排出口に至った後には、供給された時期が古い清水から順番に初期雨水排出口より排出されていくため、常に新鮮な雨水のみを貯水することができる。
【図面の簡単な説明】
【図１】本発明の雨水取水タンクの実施例を示す斜視図である。
【図２】図１におけるＡ−Ａ線断面図である。
【図３】本発明の雨水取水タンクの実施例における中蓋の構造を説明するための断面図である。
【図４】本発明の雨水取水タンクの実施例における中蓋を示す斜視図である。
【図５】本発明の雨水取水タンクの実施例における中蓋を示す斜視図である。
【図６】本発明の雨水取水タンクの実施例におけるフィルターを示す斜視図である。
【図７】本発明の雨水取水タンクの実施例における作用を説明するための一部断面図である。
【符号の説明】
１    雨水取水タンク
２    タンク本体
２０１    排出口
２０２    貯水供給口
２０３    側壁
２０４    段差
３    蓋体
３０１    取水口
４    中蓋
４０１    初期雨水排出口
４０２    清水供給口
４０３    底部
４０４    縁部
５    清水導入パイプ
６    フィルター
７    初期雨水排水チューブ
８    竪樋
９    連結パイプ
１０    蛇口
１２    スペーサー
【図１】
2005016039.tif 000003
【図２】
2005016039.tif 000004
【図３】
2005016039.tif 000005
【図４】
2005016039.tif 000006
【図５】
2005016039.tif 000007
【図６】
2005016039.tif 000008
【図７】
2005016039.tif 000009